(57)【要約】【課題】オルゴールの爪歯車を短いストロークで間歇駆動して、手で演奏するための、確実な押鍵装置を提供する。【解決手段】爪歯車８の回転制御を説明すると、Ａ１は振動弁２ａを発音させるスタンバイ位置で櫛歯ストッパー９により停止している。１３ａのストッパーにより爪８ｂは爪８ｃまでＱ度強制回転させられ（Ａ１からＡ２まで）その後爪８ａまで自重回転を行って停止する。その際櫛歯ストッパー９は、Ｂの方向に回転して、爪歯車８の爪８ａはストッパー９を突き破って回動したあと、またバネの力で水平にもとの位置まで戻る爪８を停止させる。これにより押鍵バー１５のストロークＮは、従来よりも短くすむ。【選択図】図４
2004206028.tif 000002
【特許請求の範囲】
【請求項１】
押鍵バーを用いて複数の振動弁を爪歯車で弾鍵するオルゴールに関し、回転駆動源を設け、前記回転駆動源によって回転する回転駆動軸と前記爪歯車が回転自在になるよう複数配列された爪歯車を、弾鍵スタンバイ状態の定位置で停止させるよう、櫛歯状のストッパーを設けたことを特徴とするオルゴールの弾鍵用ストッパー
【請求項２】
爪歯車を駆動するプッシャーのチューブとワイヤーを２７０度反時計方向に交錯させ、押鍵キーと爪歯車の駆動用プッシャーが直交するよう配設したことを特徴とする押鍵装置。
【請求項３】
シャフトを支点にして自在に回転する鍵盤に、先端がテーパー状に加工された孔と、ワイヤーの先端部が圧入されたボール部材とが当接して押鍵動作をすることを特徴とする鍵盤型の押鍵装置。
【請求項４】
直接手でつかめる把持部材の裏端に板バネ状の固定プッシャー、また表側には前記固定プッシャーと爪歯車の整数倍のピッチＰを持つ板バネ状の可動プッシャーを配設し、２つのプッシャーで同時に２つの爪歯車を押鍵して和音を出すことができることを特徴とする手演奏用押鍵工具。
【発明の詳細な説明】
【００１】
【発明の属する技術分野】
本発明は、オルゴールの鍵を手で直接演奏できる弾鍵装置に関する。
【００２】
【従来の技術】
従来この分野における発明としては、特願平１０−２４４３１８、オルゴール弾鍵装置が出願されているが、弾鍵装置は図３に示すように爪歯車８のストッパーとして９ａが櫛歯状に配列されており各爪歯車を回転制御していた。
【００３】
【発明が解決しようとする課題】
爪歯車８（９０度ごとに４個の爪を持つ）を固定軸６ａに回転自在にして図３のように固定台１０にバネ性のある櫛歯状のストッパー９ａを取付けてプッシャー１３ａで爪歯車８を９０度強制回転させると、プッシャー１３ａのストロークは、図３のようにストロークＬを必要とした。このストロークＬは、実際の市販オルゴールムーブメントでは８ミリ以上あり、手では演奏しずらいという欠点があった。
【００４】
【課題を解決するための手段】
押鍵バーを用いて複数の振動弁を爪歯車で弾鍵するオルゴールに関し、回転駆動源を設け、前記回転駆動源によって回転する回転駆動軸と前記爪歯車が回転自在になるよう複数配列された爪歯車を、弾鍵スタンバイ状態の定位置で停止させるよう、押鍵バーを用いて複数の振動弁を爪歯車で弾鍵するオルゴールに関し、回転駆動源を設け、前記回転駆動源によって回転する回転駆動軸と前記爪歯車が回転自在になるよう複数配列された爪歯車を、弾鍵スタンバイ状態の定位置で停止させるよう、櫛歯状のストッパーを設ける。
【００５】
また前記爪歯車を駆動するプッシャーのチューブとワイヤーを２７０度反時計方向に交錯させ、押鍵キーと爪歯車の駆動用プッシャーが直交するよう配設する。
【００６】
前記押鍵装置として、シャフトを支点にして自在に回転する鍵盤に、先端がテーパー状に加工された孔と、ワイヤーの先端部が圧入されたボール部材とが当接して押鍵動作をさせる。
【００７】
前記押鍵装置として、爪歯車を工具を使って直接手で演奏するために、把持部材の裏端に板バネ状の固定プッシャー、また表側には爪歯車の整数倍のピッチＰを持つ板バネ状の可動プッシャーを配設し、２つのプッシャーで同時に２つの爪歯車を押鍵して和音を出すことができるようにした。
【００８】
【発明の実施の形態】
図１、図２に従って発音動作を説明するとオルゴールのベース１上にネジ止めされたオルゴールの鍵盤２の振動弁２ａは、押鍵バー１５を押すことによりプッシャー１３ａを前進させて、爪歯車８の爪８ｂが、押されて爪８ｃにより発音される。爪８ａはバネ性のある櫛歯状のストッパー９を乗り越えて回動し爪８ｂは櫛歯状のストッパー９に当設して停止する。爪歯車８は回転駆動軸６と自重で自在に回転できる。３はシャフト６の保持ブラケット、４は駆動モーター、５は本発明の櫛歯全体を表す。ベース１は振動板２５に斜めに固着されている。
【００９】
図４で爪歯車８の回転制御を説明すると、Ａ１は振動弁２ａを発音させるスタンバイ位置で櫛歯状のストッパー９により停止している。１３ａのプッシャーにより爪８ｂは爪８ｃまでＱ度強制回転させられ（Ａ１からＡ２まで）その後爪８ａまで自重回転を行って停止する。その際櫛歯状のストッパー９は、Ｂの方向に回転して、爪歯車８の爪８ａはストッパー９を突き破って回動したあと、またバネの力で水平にもとの位置まで戻って爪８ｂを停止させる。
従って人の押す押鍵バーのストロークはＮですみ、９０度回転するまでの残りのＡ２からＡ３までの角度は、駆動モーター４の力でシャフト６と爪歯車８の回転摩擦力で回動する。
【０１０】
【実施例】
以下に本発明にかかわるオルゴールの上記実施例について鍵盤型の押鍵装置、及び直接手押装置について説明をする。初めに鍵盤型の押鍵装置について述べると、図５は鍵盤型の押鍵装置の側面図を表し、シャフト１９と自在に回転する鍵盤１８の先端部には鍵盤の幅中心部（図示しない）に後部孔２０を貫通しないよう先端をテーパー上に加工してある。ワイヤー１３の先端をボール部材２１に圧入し圧縮スプリング１６の上端部をボール部材に当て、下端をチューブホルダー１７に当接させる。ボール部材２１は鍵盤のテーパー上に加工された孔に当設しており、鍵盤を矢印Ｄの方向に押すことによりワイヤー１３はボール部材への角度変化を吸収して、ストローク分押されて押鍵動作をする。
【０１１】
次に直接手押装置について説明をすると、図６は本発明で構成されたオルゴールの爪歯車８を、直接手でつかめることのできる押鍵工具を透視した図で、把持部材２４の裏端に板バネ状のプッシャー２２を接着剤で固着してある。また表側には前記固定プッシャーと爪歯車８の整数倍のピッチＰを持つ板バネ状のプッシャー２３を配備してある。図７でこの工具の使用方法を説明するとこの工具は例えば右手用として指Ｆ１、ＦＡ２で工具を保持し、Ｆ３の指で２３のプッシャーを上部より押して板バネ状のプッシャー２２と先端の高さを同じくして同時に２つの爪歯車を押して和音を出すことができる。同様に左手にも、右手用の工具とは、対称に作られた工具で２つの和音を出すことができる。
【０１２】
【発明の効果】
請求項１については、従来よりも短いストロークで押鍵動作ができ手で弾きやすくなる。
【０１３】
請求項２については、押鍵バー１５とプッシャー１３ａが直行する位置関係にあるため、図２に示すように、押鍵バー１５とプッシャー１３ａの距離が短くでき、装置の小型化が図れる。
【０１４】
請求項３については、鍵盤に設けられたテーパー上の孔とボールが当設するため鍵盤の押鍵動作が確実に行われる。
【０１５】
請求項４については、前述の押鍵バーや鍵盤を使った装置よりも大幅に安くでき、オルゴールの鍵を手で演奏するという目的を達することができる。
【図面の簡単な説明】
【図１】は本発明の櫛歯状ストッパーを搭載した、オルゴールの上面図
【図２】は図１の左側面図
【図３】は従来の爪歯車駆動動作図
【図４】は本発明の爪歯車駆動動作図
【図５】は押鍵バーの鍵盤を使った構造図
【図６】は押鍵工具の透視図
【図７】は押鍵工具の動作説
【符号の説明】
１は、オルゴールのベース
２は、オルゴールの鍵盤、２ａは振動弁
３は、シャフト６の保持ブラケット
４は、駆動モーター
５は、櫛歯全体を表す。
６は、回転駆動軸、６ａは固定軸
７は、爪歯車の左右振れ防止スペーサー
８は、爪歯車、８ａ、８ｂ、８ｃは爪
９は、櫛歯状のストッパー、９ａはストッパー
１０は、櫛歯の保持ブラケット
１１は、チューブ１２の保持具
１２は、チューブ
１３は、ワイヤー、１３ａは、ワイヤー１３の先端を平らに加工したプッシャー
１４は、押鍵バー１５のガイド
１５は、押鍵バー
１６は、圧縮スプリング
１７は、チューブ１２のホルダー
１８は、鍵盤
１９は、シャフト
２０は、鍵盤の後部孔
２１は、ボール部材
２２は、板バネ状プッシャー
２３は、他の板バネ状プッシャー
２４は、把持部材
２５は、オルゴールベースの振動版
Ｆ１，Ｆ２、Ｆ３は、指を表す。
Ｌ、Ｎはストロークを表す。
【図１】
2004206028.tif 000003
【図２】
2004206028.tif 000004
【図３】
2004206028.tif 000005
【図４】
2004206028.tif 000006
【図５】
2004206028.tif 000007
【図６】
2004206028.tif 000008
【図７】
2004206028.tif 000009